(57)【特許請求の範囲】
【請求項１】
外容器と内容器と、内容器に螺着されるキャップとからなる二重容器であって、
外容器と内容器との間には、弾性体が装着され、
外容器は、底壁と、底壁の外縁に立設される外周壁とからなっており、
外周壁の内周には、鍵型凹溝が凹設され、
鍵型凹溝は、外周壁の上面を開口して下方に伸びる挿入縦溝部と、係合縦溝部とを具え、
内容器は、底壁と、底壁の外縁に立設される内周壁と、内周壁の外周に連設されるフランジと、フランジの下面に垂設される外周壁とからなっており、
外周壁の外周には、外容器の鍵型凹溝内で可動可能に形成される係合凸部が配設され、
弾性体は、下部が、外容器の底壁の上面に載置されるとともに、内容器を外容器に装着した時に、上部が、内容器の底壁の下面と圧接するように形成されていることを特徴とする二重容器。
【請求項２】
鍵型凹溝が、下方に向かって所定の高さまで延びる挿入縦溝部と、該挿入縦溝部から横方向に延びる横溝部と、該横溝部の端部から上方に延びる係合縦溝部とからなっていることを特徴とする請求項１記載の二重容器。
【請求項３】
鍵型凹溝が、下方に向かって所定の高さまで延びる挿入縦溝部と、該挿入縦溝部から横斜め方向に延びる傾斜溝部と、該傾斜溝部の端部から上方に延びる係合縦溝部とからなっていることを特徴とする請求項１記載の二重容器。  
【請求項４】
外容器の外周壁の内周の上部に、周面と上面を形成して所定の高さまで拡径された係合段部が周設され、上面から下方に鍵型凹溝が配設され、
内容器のフランジは、外縁部が、外容器の係合段部の周面内を摺動するとともに、上面が、内容器を外容器に装着した時に、外容器の外周壁の上面と面一となるようにしたことを特徴とする請求項１〜３のいずれかに記載の二重容器。
【発明の詳細な説明】
【技術分野】
【０００１】
本発明は、二重容器、とくに内容器と、外容器とからなり、内容器を取り替え可能とした二重容器に関するものである。
【背景技術】
【０００２】
外容器の内方に内容物を収納する内容器を装着するとともに、内容器の口部にキャップを螺着して密封し、さらに、内容器の内容物を使用し終わった後に、内容器を外容器から取外し、内容物が充填された新しい内容器を装着して、再度使用するようにした二重容器は従来より周知である。
【０００３】
また、周知の二重容器において、内容器に螺着したキャップを開け閉めした際に、内容器がキャップとともに外容器に対して廻動して、内容器と外容器の係合が外れ、内容器が外容器から外れてしまうという問題を解決するようにした二重容器も従来より知られている（例えば、特許文献１参照）。
【先行技術文献】
【特許文献】
【０００４】
【特許文献１】実公昭５３−５３６５４号公報
【発明の概要】
【発明が解決しようとする課題】
【０００５】
しかしながら、上記特許文献１記載の二重容器では、キャップの廻動で内容器が外容器から外れないようになっているが、キャップを持ち上げると内容器が外容器から外れるという問題があった。
【０００６】
本発明は、上記問題を解決することを課題とし、キャップの開け閉めによる内容器の外容器に対する廻動を阻止することができるとともに、使用時に内容器と外容器との装着が簡単に外れず、内容器取り替え時には、内容器を外容器から容易に外すことのできる二重容器を提供することを目的とする。
【課題を解決するための手段】
【０００７】
本発明は、上記課題を解決するため、二重容器として、外容器と内容器と、内容器に螺着されるキャップとからなる二重容器であって、外容器と内容器との間には、弾性体が装着され、外容器は、底壁と、底壁の外縁に立設される外周壁とからなっており、外周壁の内周には、鍵型凹溝が凹設され、鍵型凹溝は、外周壁の上面を開口して下方に伸びる挿入縦溝部と、係合縦溝部とを具え、内容器は、底壁と、底壁の外縁に立設される内周壁と、内周壁の外周に連設されるフランジと、フランジの下面に垂設される外周壁とからなっており、外周壁の外周には、外容器の鍵型凹溝内で可動可能に形成される係合凸部が配設され、弾性体は、下部が、外容器の底壁の上面に載置されるとともに、内容器を外容器に装着した時に、上部が、内容器の底壁の下面と圧接するように形成されていることを特徴とする構成を採用する。
【０００８】
鍵型凹溝の実施例として、鍵型凹溝が、下方に向かって所定の高さまで延びる挿入縦溝部と、該挿入縦溝部から横方向に延びる横溝部と、該横溝部の端部から上方に延びる係合縦溝部とからなっていることを特徴とする構成、または、鍵型凹溝が、下方に向かって所定の高さまで延びる挿入縦溝部と、該挿入縦溝部から横斜め方向に延びる傾斜溝部と、該傾斜溝部の端部から上方に延びる係合縦溝部とからなっていることを特徴とする構成を採用する。
【０００９】
外容器と内容器の具体的な実施例として、外容器の外周壁の内周の上部に、周面と上面を形成して所定の高さまで拡径された係合段部が周設され、上面から下方に鍵型凹溝が配設され、内容器のフランジは、外縁部が、外容器の係合段部の周面内を摺動するとともに、上面が、内容器を外容器に装着した時に、外容器の外周壁の上面と面一となるようにしたことを特徴とする構成を採用する。
【発明の効果】
【００１０】
本発明の二重容器は、外容器と内容器との間に装着した弾性体の反発力、および、外容器の外周壁の内周に配設した鍵型凹溝と内容器の外周壁の外周に配設した係合凸部との係合により、内容器を外容器内で固定することによって、キャップの開け閉めによる内容器の外容器に対する廻動を阻止することができ、内容器と外容器との装着が簡単に外れないようにすることができる。
また、内容器取り替え時には、内容器を押し下げ、弾性体を押圧して廻動させることによって内容器を外容器から容易に外すことができるようになった。
【図面の簡単な説明】
【００１１】
【図１】本願発明の二重容器の説明図で、（ａ）は断面正面図、（ｂ）は（ａ）のＡ−Ａ線における断面上面図である。
【図２】外容器の説明図で、（ａ）は断面側面図、（ｂ）は上面図である。
【図３】内容器の説明図で、（ａ）は一部断面正面図、（ｂ）は上面図である。
【図４】内容器を外容器に対して押下げた時の説明図である。
【図５】鍵型凹溝と係合凸部の作用説明図で、（ａ）は係合凸部が鍵型凹溝の横溝部の左側の下端面に圧接した時、（ｂ）は係合凸部が鍵型凹溝の横溝部の右側端面に圧接した時、（ｃ）は係合凸部が鍵型凹溝の係合縦溝部に係合した時、（ｄ）は係合凸部が鍵型凹溝の横溝部の左側端面に圧接した時である。
【図６】鍵型凹溝の別実施例の説明図で、（ａ）は右下に傾斜した傾斜溝部、（ｂ）は右上に傾斜した傾斜溝部である。
【発明を実施するための形態】
【００１２】
次に、本発明の二重容器の実施形態について図面を参照して説明する。
図１に示すように、Ａは外容器、Ｂは内容器、Ｃは外容器Ａと内容器Ｂとの間に装着される弾性体、Ｄは内容器Ｂに装着されるキャップである。
【００１３】
外容器Ａは、図１、２に示すように、底壁１と、底壁１の外縁に立設される外周壁２とからなっており、底壁１の上面の所定の位置には、弾性体Ｃが、載置または接着されている。
【００１４】
外周壁２の内周には、上部に周面３ａと上面３ｂを形成して所定の高さまで拡径された係合段部３が周設され、上面から見て左右両側の上面３ｂから下方には、鍵型凹溝４が凹設されている。
【００１５】
鍵型凹溝４は、内周側から見て、上面３ｂから開口し、下方に向かって所定の高さまで延びる挿入縦溝部４ａと、該挿入縦溝部４ａの下端から右方向に延びる横溝部４ｂと、該横溝部４ｂの右側上部から所定の高さまで上方に向かう係合縦溝部４ｃとから形成されている。
【００１６】
内容器Ｂは、図１、図３に示すように、底壁５と、底壁５の外縁に立設される内周壁６と、内周壁６の外周の所定の高さに連設されるフランジ７と、フランジ７の下面に垂設される外周壁８とからなっており、底壁５上面と内周壁６の内面との間に内容物が収納される。
【００１７】
内周壁６の外周上部には、ねじ９が螺設されている。
【００１８】
フランジ７は、内容器Ｂを外容器Ａに装着する際に、外縁部が、外容器Ａの外周壁２の係合段部３の周面３ａ内を摺動するとともに、内容器Ｂを外容器Ａに装着した際に、上面が、外周壁２の上面と面一となるように形成されている。
【００１９】
内容器Ｂの外周壁８の外周には、上面から見て左右両側に、外容器Ａの二つの鍵型凹溝４のそれぞれの開口に挿入する位置に係合凸部１０が配設されている。
【００２０】
係合凸部１０は、外容器Ａの鍵型凹溝４の挿入縦溝部４ａと、横溝部４ｂと、係合縦溝部４ｃの横幅および縦幅内で可動可能に形成され、その外形は角形または円形でもよい。
また、係合凸部１０は、上端が、内容器Ｂを外容器Ａに装着した時に、係合縦溝部４ｃの天面に圧接する高さで外周壁８外周に配設されている。
【００２１】
弾性体Ｃは、ばねや、弾性素材などにより反発力を持つように形成されるとともに、図１に示すように、下部が、外容器Ａの底壁１の上面に載置または接着され、内容器Ｂを外容器Ａに装着した時に、上部が、内容器Ｂの底壁５の下面に圧接する高さで形成されている。
【００２２】
キャップＤは、図１に示すように、頂壁１５と、頂壁１５の外縁から垂設される外周壁１６とからなっている。
外周壁１６には、内周に、内容器Ｂの内周壁６のねじ９と螺合するねじ１７が螺設されている。
また、好ましくは、頂壁１５の下面および外周壁１６の内周上端部に、パッキンＰが装着されるとよい。
【００２３】
次に本発明の作用効果について説明する。
本発明の容器の組み立ては、まず、内容器Ｂを外容器Ａ内に装着させる。
【００２４】
その際、内容器Ｂと外容器Ａを位置合わせして、内容器Ｂを外容器Ａ内に下降させていくとともに、内容器Ｂの外周壁８の左右両側に配設した係合凸部１０を、外容器Ａの外周壁２に形成した左右両側の鍵型凹溝４の挿入縦溝部４ａの開口から挿入させていく。
【００２５】
内容器Ｂを外容器Ａ内に下降させていくと、内容器Ｂの底壁５下面が、外容器Ａの底壁１の上面に装着した弾性体Ｃの上部に圧接し、弾性体Ｃ自体を押圧し変形させながら、図４に示すように、内容器Ｂを外容器Ａ内に押し下げていく。
【００２６】
次いで、係合凸部１０を、対応する鍵型凹溝４に係合させる。
係合凸部１０を、挿入縦溝部４ａに挿入させていくと、図５（ａ）に示すように、係合凸部１０の下端が、それぞれの鍵型凹溝４の横溝部４ｂの左側の下端面に圧接し、内容器Ｂの外容器Ａ内に対する下降が止められる。
【００２７】
次に、内容器Ｂを外容器Ａに対して下に押下げながら時計回りに廻動させると、係合凸部１０が、それぞれの横溝部４ｂの下端面を摺動していき、図５（ｂ）に示すように、横溝部４ｂの右側端面に圧接し、内容器Ｂの外容器Ａ内に対する廻動が止められる。
【００２８】
次に、内容器Ｂの押下げを外すと、押圧されていた弾性体Ｃの反発力により、内容器Ｂを上方に押し戻すとともに、係合凸部１０がそれぞれの鍵型凹溝４の係合縦溝部４ｃ内に進入していき、内容器Ｂが外容器Ａに対して上昇していく。
【００２９】
内容器Ｂが上昇していくと、図５（ｃ）に示すように、係合凸部１０の上端がそれぞれの係合縦溝部４ｃの上端面に圧接するとともに、図１（ａ）に示すように、弾性体Ｃの反発力も解消され、内容器Ｂの上昇も止められる。
【００３０】
係合凸部１０の上端とそれぞれの係合縦溝部４ｃの上端面との圧接により、内容器Ｂが外容器Ａから上方に抜けることを防止するとともに、弾性体Ｃの反発力により内容器Ｂが外容器Ａに対して落ちることを防止するので、内容器Ｂは外容器Ａに対して、内容器Ｂのフランジ７の上面と、外容器Ａの外周壁２の上面と面一となる位置で固定され、装着される。
【００３１】
最後に、内容器ＢにキャップＤを螺着すると、閉蓋した容器となる。
【００３２】
本発明の容器は、弾性体Ｃの反発力により、常に内容器Ｂの係合凸部１０が外容器Ａの鍵型凹溝４の係合縦溝部４ｃの内方に位置するように固定されるので、キャップＤを開け閉めする際に、キャップＤの廻動に対し、内容器Ｂが一緒に廻動しようとしても、内容器Ｂの係合凸部１０の左右側面が、外容器Ａの外容器Ａの鍵型凹溝４の係合縦溝部４ｃの左右側端面に圧接して廻動を阻止するので、内容器Ｂが外容器Ａから外れることを防止することができる。
【００３３】
また、内容器Ｂと螺着したキャップＤを上に引張っても、係合凸部１０の上端が係合縦溝部４ｃの上端面に圧接して抜けることが阻止されるので、内容器ＢがキャップＤと一緒に外容器Ａから外れることを防止することができる。
【００３４】
内容器Ｂ内の内容物が使用されてなくなったときには、外容器Ａ内から使用済みの内容器Ｂを外し、内容物を充填した新しい内容器Ｂを外容器Ａ内に装着すると、再び使用することができる。
【００３５】
内容器Ｂを外容器Ａから外すには、まず、内容器Ｂを、外容器Ａに対して弾性体Ｃを押圧し、下方に押し下げる。
【００３６】
内容器Ｂの下降が進むと、図５（ｂ）に示すように、内容器Ｂの係合凸部１０の下端が、それぞれの鍵型凹溝４の横溝部４ｂの右側の下端面に圧接し、内容器Ｂの外容器Ａ内に対する下降が止められる。
【００３７】
次に、内容器Ｂを外容器Ａに対して押下げながら反時計回りに廻動させると、係合凸部１０が、それぞれの横溝部４ｂの下端面を摺動させ、図５（ｄ）に示すように、横溝部４ｂの左側端面に圧接し、内容器Ｂの外容器Ａ内に対する廻動が止められる。
【００３８】
次に、内容器Ｂの押下げを外すと、押圧されていた弾性体Ｃの反発力により、内容器Ｂを上方に押し戻すとともに、係合凸部１０がそれぞれの鍵型凹溝４の挿入縦溝部４ａ内に進入していき、内容器Ｂが外容器Ａに対して上昇する。
【００３９】
最後に、内容器Ｂを持ち上げ、係合凸部１０を挿入縦溝部４ａの開口から外に取り出すと、内容器Ｂを外容器Ａから容易に取り外すことができる。
【００４０】
弾性体Ｃは、外容器Ａの底壁５の上面に載置または接着されているので、再び、内容物を充填した新しい内容器Ｂを外容器Ａに装着し直し、使用することができる。
【００４１】
上記実施形態では、外容器Ａの外周壁２の鍵型凹溝４は、上面３ｂから開口し、下方に向かって所定の高さまで延びる挿入縦溝部４ａと、該挿入縦溝部４ａの下端から右方向に延びる横溝部４ｂと、該横溝部４ｂの右側上部から所定の高さまで上方に向かう係合縦溝部４ｃとから形成されているが、横溝部４ｂに変えて、図６（ａ）に示すように、挿入縦溝部４ａの下端から右下方向に延びるとともに、右側上部から係合縦溝部４ｃが形成される傾斜溝部４ｄ、または、図６（ｂ）に示すように、挿入縦溝部４ａの下端から右上方向に延びるとともに、右側上部から係合縦溝部４ｃが形成される傾斜溝部４ｅとした鍵型凹溝４としてもよい。
【００４２】
図６（ａ）に示す傾斜溝部４ｄとした場合、内容器Ｂを外容器Ａ内に装着させる際に、内容器Ｂを外容器Ａ内に押し下げ、係合凸部１０を、挿入縦溝部４ａに挿入させていくと、係合凸部１０の下端が、それぞれの鍵型凹溝４の横溝部４ｂの左側の下端面に圧接するとともに、傾斜溝部４ｄの傾斜により、内容器Ｂの押し下げに対して、係合凸部１０が横方向に摺動し、内容器Ｂを外容器Ａに対して時計回りに廻動させることができる。
【００４３】
そして、係合凸部１０が、それぞれの傾斜溝部４ｄの傾斜下端面を摺動していき、傾斜溝部４ｄの右側端面に圧接し、内容器Ｂの外容器Ａ内に対する廻動が止められるとともに、内容器Ｂの外容器Ａ内に対する下降が止められる。
【００４４】
次に、内容器Ｂの押下げを外すと、押圧されていた弾性体Ｃの反発力により、内容器Ｂを上方に押し戻すとともに、係合凸部１０がそれぞれの鍵型凹溝４の係合縦溝部４ｃ内に進入していき、内容器Ｂが外容器Ａに対して上昇し、内容器Ｂが外容器Ａ内に装着させることができる。
【００４５】
図６（ｂ）に示す傾斜溝部４ｅとした場合、外容器Ａ内から使用済みの内容器Ｂを外す際に、内容器Ｂを、外容器Ａに対して弾性体Ｃを押圧し、下方に押し下げ、内容器Ｂの係合凸部１０の下端が、それぞれの鍵型凹溝４の傾斜溝部４ｅの右側の下端面に圧接するとともに、傾斜溝部４ｅの傾斜により、内容器Ｂの押し下げに対して、係合凸部１０が横方向に摺動し、内容器Ｂを外容器Ａに対して反時計回りに廻動させることができる。
【００４６】
そして、係合凸部１０が、それぞれの傾斜溝部４ｅの傾斜下端面を摺動していき、傾斜溝部４ｅの左側端面に圧接し、内容器Ｂの外容器Ａ内に対する廻動が止められるとともに、内容器Ｂの外容器Ａ内に対する下降が止められる。
【００４７】
次に、内容器Ｂの押下げを外すと、押圧されていた弾性体Ｃの反発力により、内容器Ｂを上方に押し戻すとともに、係合凸部１０がそれぞれの鍵型凹溝４の挿入縦溝部４ａ内に進入していき、内容器Ｂを外容器Ａに対して上昇させ、外容器Ａから容易に取り外すことができる。
【産業上の利用可能性】
【００４８】
内容器を外容器に対して、弾性体を介して上に反発するように装着されているので、キャップを開け閉めするために廻動しても、内容器が外容器から外れてしまうことを防止することができる。
また、容易に内容器を取り替えて使用することができる二重容器として、広く利用できる。
【符号の説明】
【００４９】
Ａ          外容器
Ｂ          内容器
Ｃ          弾性体
Ｄ          キャップ
Ｐ          パッキン
１、５      底壁
２、８、１６  外周壁
３          係合段部
３ａ        周面
３ｂ        上面
４          鍵型凹溝
４ａ        挿入縦溝部
４ｂ        横溝部
４ｃ        係合縦溝部
４ｄ、４ｅ  傾斜溝部
６          内周壁
７          フランジ
９、１７    ねじ
１０        係合凸部
１５        頂壁
【図１】
0005661580.tif 000002
【図２】
0005661580.tif 000003
【図３】
0005661580.tif 000004
【図４】
0005661580.tif 000005
【図５】
0005661580.tif 000006
【図６】
0005661580.tif 000007